(57)【要約】【課題】版胴周囲のスペースを効率良く活用でき、且つ、版面温度の正確な調節が容易な版面温度調節装置付き印刷機を提供する。【解決手段】版胴１に向けてエアを送ることにより版面の温度調節を行う版面温度調節装置Ａを備え、版胴１の周囲のうち所定箇所には版交換用のスペース１１が設けられ、版面温度調節装置Ａは、前記スペース１１から版胴１にエアを送る温度調節状態と、版交換を可能にすべく前記スペース１１を開放する開放状態とが任意に変更可能に構成されている。【選択図】      図２
2004216727.tif 000002
【特許請求の範囲】
【請求項１】
版胴に向けてエアを送ることにより版面の温度調節を行う版面温度調節装置を備えた印刷機であって、
版胴の周囲のうち所定箇所には版交換用のスペースが設けられ、版面温度調節装置は、前記スペースから版胴にエアを送る温度調節状態と、版交換を可能にすべく前記スペースを開放する開放状態とが任意に変更可能に構成されていることを特徴とする版面温度調節装置付き印刷機。
【請求項２】
前記スペースの外側には開閉自在な蓋体が設けられて蓋体を開けることでスペースからの版交換が可能となり、
版面温度調節装置のエアの吹き出し部は蓋体の内側に一体に設けられ、エアの吹き出し部は、蓋体の開閉動作により、スペースから版胴にエアを送る温度調節位置とスペースを開放する退避位置との間を位置変更可能に構成されている請求項１記載の版面温度調節装置付き印刷機。
【請求項３】
前記スペースの外側には開閉自在な蓋体が設けられて蓋体を開けることでスペースからの版交換が可能となり、
蓋体にはエアの吹き出し部が挿通可能な挿通孔が設けられ、該挿通孔を介してエアの吹き出し部がスペース内に出し入れ可能に構成されることにより、エアの吹き出し部は、温度調節状態においては蓋体より内側の温度調節位置に位置し且つ開放状態においては蓋体より外側の退避位置に位置し、
温度調節位置から退避位置までの全移動区間のうち、温度調節位置からエアの吹き出し部が挿通孔を外側に通過するまでの区間は、エアの吹き出し部は版胴に対して直線的に接近、離反する請求項１記載の版面温度調節装置付き印刷機。
【請求項４】
前記スペース及び蓋体は版胴の上方に設けられ、エアの吹き出し部が温度調節位置から退避位置まで移動する間の動作は二つの動作に区分され、蓋体上方の中継位置から温度調節位置までの第一の動作は上下の直線移動であり、中継位置から退避位置までの第二の動作は上下方向の軸線を中心とした水平回動であり、印刷機は水平に並設された二つの版胴を有し、エアの吹き出し部は各版胴毎に設けられ、第二の動作において両版胴のエアの吹き出し部は互いに観音開き状に回動する請求項３記載の版面温度調節装置付き印刷機。
【請求項５】
版胴に向けてエアを送ることにより版面の温度調節を行う版面温度調節装置を備え、版胴は複数の版を巻き付ける構成であり、版に画像を形成する画像形成装置が版胴に近設されている印刷機であって、
版胴の周囲のうち所定箇所には版交換用のスペースが設けられ、版面温度調節装置は、前記スペースから版胴にエアを送る温度調節状態と、版交換を可能にすべく前記スペースを開放する開放状態とが任意に変更可能に構成されていることを特徴とする版面温度調節装置付き印刷機。
【発明の詳細な説明】
【０００１】
【発明の属する技術分野】
本発明は、版面の温度を調節する版面温度調節装置を備えた印刷機に関する。
【０００２】
【従来の技術】
版胴に版を巻き付ける構成の印刷機においては、版面にインキを供給するためのインキ装置を備えている。該インキ装置は、インキ壺から多くのインキローラを経由して最終的にはインキローラのうちのインキ着けローラ（フォームローラ）から版面にインキを転移させる。
【０００３】
しかしながら、インキの粘度は温度に左右されるため、版面の温度が低い場合にはインキの粘度が高くなり過ぎて例えば画像のエッジ部分においてインキが版面に転移しにくくなり、逆に版面の温度が高いとインキの粘度が低下し過ぎて細かな部分の画像が潰れたりする。
【０００４】
このように、インキ着けローラから版面へのインキの付着度合いは版面温度に大きく左右されることになる。インキローラの温度調節装置を備えてインキローラ上のインキの温度を制御することを行っても、版面温度が所定範囲にない場合にはインキ着けローラから版面にインキを転移する段階においてインキの転移状態を良好なものとすることは容易ではない。
そこで、版面温度を調節する装置を備えたものも提案されている（下記特許文献１参照）。
【０００５】
【特許文献１】
特開平８−１９１８号公報
【０００６】
【発明が解決しようとする課題】
しかしながら、上記従来の版面温度調節装置にあっては、版面に向けてエアを送るエアの吹き出し部が版胴の周囲の所定位置に固定的に配置される構成であるため、印刷機が版胴周辺部分において大型化しやすいという問題がある。即ち、版胴の周囲には上述したようにインキ装置やブランケット胴などの多くの装置を配置する必要があるため、これらの装置に加えて更にエアの吹き出し部を配置するにはスペース上の制約があり、版胴自体を大型化することが必要になる場合もある。
【０００７】
また、エアの吹き出し部を例えばインキローラの外側に配置すると、インキローラによってエアが版面に届きにくくなるため、正確に版面の温度調節を行うことは困難である。
【０００８】
それゆえに本発明は上記従来の問題点に鑑みてなされ、版胴周囲のスペースを効率良く活用でき、且つ、版面温度の正確な調節が容易な版面温度調節装置付き印刷機を提供することを課題とする。
【０００９】
【課題を解決するための手段】
本発明は、上記課題を解決すべくなされたものであり、本発明に係る版面温度調節装置付き印刷機は、版胴に向けてエアを送ることにより版面の温度調節を行う版面温度調節装置を備えた印刷機であって、版胴の周囲のうち所定箇所には版交換用のスペースが設けられ、版面温度調節装置は、前記スペースから版胴にエアを送る温度調節状態と、版交換を可能にすべく前記スペースを開放する開放状態とが任意に変更可能に構成されていることを特徴とする。
【００１０】
該構成にあっては、版面温度を調節する場合には版面温度調節装置を温度調節状態とするが、この場合、版交換用のスペースを介してエアが版胴に送られる。即ち、版交換用のスペースを有効に利用してエアを版胴に送ることができるので、エアを送るための専用のスペースを別途版胴の周囲に確保する必要がない。しかも、版交換用のスペースを利用してエアを送るため、版胴周囲に配置された他の構成部材がエア送りの邪魔になることもなく、エアを確実に版胴に送って版面の温度調節を行うことができる。
【００１１】
特に、前記スペースの外側には開閉自在な蓋体が設けられて蓋体を開けることでスペースからの版交換が可能となり、版面温度調節装置のエアの吹き出し部は蓋体の内側に一体に設けられ、エアの吹き出し部は、蓋体の開閉動作により、スペースから版胴にエアを送る温度調節位置とスペースを開放する退避位置との間を位置変更可能に構成されていることが好ましい。
【００１２】
該構成にあっては、蓋体を閉じればエアの吹き出し部が温度調節位置に位置して版面温度調節装置は自動的に温度調節状態となる一方、蓋体を開ければエアの吹き出し部が退避位置に位置して版面温度調節装置は自動的に開放状態となる。このようにエアの吹き出し部を蓋体の内側に一体に設けることにより、エアの吹き出し部を簡単に移動させることができる。
【００１３】
また、前記スペースの外側には開閉自在な蓋体が設けられて蓋体を開けることでスペースからの版交換が可能となり、蓋体にはエアの吹き出し部が挿通可能な挿通孔が設けられ、該挿通孔を介してエアの吹き出し部がスペース内に出し入れ可能に構成されることにより、エアの吹き出し部は、温度調節状態においては蓋体より内側の温度調節位置に位置し且つ開放状態においては蓋体より外側の退避位置に位置し、温度調節位置から退避位置までの全移動区間のうち、温度調節位置からエアの吹き出し部が挿通孔を外側に通過するまでの区間は、エアの吹き出し部は版胴に対して直線的に接近、離反することが好ましい。
【００１４】
該構成にあっては、温度調節位置からエアの吹き出し部が挿通孔を外側に通過するまでの区間は、エアの吹き出し部は版胴に対して直線的に接近、離反するため、版交換用のスペースが小さくても、エアの吹き出し部を版胴に容易に接近させることができる。従って、温度調節状態において版面の温度調節をより一層正確に行うことができる。
【００１５】
特に、前記スペース及び蓋体は版胴の上方に設けられ、エアの吹き出し部が温度調節位置から退避位置まで移動する間の動作は二つの動作に区分され、蓋体上方の中継位置から温度調節位置までの第一の動作は上下の直線移動であり、中継位置から退避位置までの第二の動作は上下方向の軸線を中心とした水平回動であり、印刷機は水平に並設された二つの版胴を有し、エアの吹き出し部は各版胴毎に設けられ、第二の動作において両版胴のエアの吹き出し部は互いに観音開き状に回動することが好ましい。
【００１６】
該構成にあっては、開放状態においてエアの吹き出し部は蓋体より上方に位置するが、二つのエアの吹き出し部が観音開き状に回動して退避位置において両者が互いに接近するため、退避位置のエアの吹き出し部が版交換の邪魔になりにくくい。
【００１７】
また、本発明に係る版面温度調節装置付き印刷機は、版胴に向けてエアを送ることにより版面の温度調節を行う版面温度調節装置を備え、版胴は複数の版を巻き付ける構成であり、版に画像を形成する画像形成装置が版胴に近設されている印刷機であって、版胴の周囲のうち所定箇所には版交換用のスペースが設けられ、版面温度調節装置は、前記スペースから版胴にエアを送る温度調節状態と、版交換を可能にすべく前記スペースを開放する開放状態とが任意に変更可能に構成されていることを特徴とする。
【００１８】
一般に版胴が複数の版を巻き付ける構成の場合には、版胴の周囲には版面にインキを供給するためのインキ装置がその版の数に対応して複数配設されることとなる。そして、その複数のインキ装置に加えて画像形成装置も版胴の周囲に配置される印刷機の場合には、版胴の周囲にエアを送るための専用のスペースを確保することは極めて困難であるが、本発明においては、版交換用のスペースを有効に利用してエアを版胴に送るので、エアを送るための専用のスペースを別途版胴の周囲に確保する必要がない。しかも、版交換用のスペースを利用してエアを送るため、版胴の周囲にインキ装置や画像形成装置が配置されていてもそれらがエア送りの邪魔になることもなく、エアを確実に版胴に送って版面の温度調節を行うことができる。
【００１９】
【発明の実施の形態】
以下、本発明の版面温度調節装置付き印刷機の一実施形態について図１乃至図４を参酌しつつ、版胴１に向けてエアを送ることにより版面の温度調節を行う版面温度調節装置Ａを備えた印刷機について説明する。
【００２０】
本実施形態における印刷機は、版面が合計四つある四色印刷機である。詳しくは、一つの圧胴３に対して版胴１とブランケット胴２を二組備えた胴配列のものである。圧胴３は三倍径で、版胴１とブランケット胴２は二つの版面を有する二倍径である。そして、給紙部４から供給された枚葉紙は圧胴３が一回転することで二色刷りされ、圧胴３がそのまま更にもう一回転することで残る二色が更に刷られて合計四色刷りが完了し、その後圧胴３から排紙部５へと受け渡される。尚、図１のように二つの版胴１は水平方向に間隔をおいて並設された状態にある。
【００２１】
また、版胴１は版を二つ巻き付ける構成であり、従って、各版胴１の周囲には、版にインキを供給するためのインキ装置６が二つずつ配置されている。尚、図２のように、これらの版は、各々供給リール７から版胴１の周面に送られる構成であり、版胴１の周面に送られた版に画像形成装置９が画像を形成する。そして、使用後は版胴１の周面から巻き取りリール８に巻き取られると共に供給リール７から未使用の部分が版胴１の周面に送られる。このように、本実施形態の印刷機は、版胴１に巻き付けられた版に画像を形成するための画像形成装置９を備えた、いわゆるデジタル印刷機であって、該画像形成装置９は、入力された画像データに基づいて版に画像を形成する。また、画像形成装置９は、版胴１の軸線方向に沿って伸びていて、その方向の長さは版面の幅に略等しい。尚、画像形成装置９は、二つのインキ装置６の間であって版胴１の上方に位置する。尚、インキ装置６は、版にインキを転移するためのインキ着けローラ６ａを四本（複数本）ずつ備え、これら四本のインキ着けローラ６ａは版胴１の周方向に間隔をおいて配置されている。尚、図示は省略するが、この印刷機はインキローラの温度を調整する装置を備えている。また、インキ装置６とブランケット胴２との間に、版を洗浄する版洗浄装置を配設する場合もある。
【００２２】
画像形成装置９に対して版胴１の回転方向の下流側に位置するインキ装置６の画像形成装置９側には、版胴１の略全長に亘って遮蔽板１０が配設されている。そして、該遮蔽板１０と画像形成装置９との間のスペースが版交換用のスペース１１となる。尚、遮蔽板１０の下端部と画像形成装置９の下端部は共に版胴１に近設した状態にある。
【００２３】
該版交換用のスペース１１の外側には、その一端部１２ａを支点として上下に回動して開閉する蓋体１２が設けられている。該蓋体１２は、画像形成装置９の外側をも覆うように構成されている。また、蓋体１２の回動支点とは反対側の他端部１２ｂは、閉状態において、前記遮蔽板１０の上端部の上に位置する。尚、蓋体１２の開閉動作を円滑化するためのガスダンパー１３が設けられている。
【００２４】
尚、図２乃至図４において、符号１４は印刷機の前後一対のフレームであって、該フレーム１４は版胴１等の印刷機の各胴を回転可能に支持する。そして、該フレーム１４の上端部は閉状態における蓋体１２まで達している。従って、版交換用のスペース１１は、蓋体１２の閉状態において、遮蔽板１０、画像形成装置９、版胴１、蓋体１２、及び前後両フレーム１４によって略密閉した空間となる。尚、前後のフレーム１４の外側には、各種のギヤ等を覆うためのカバー１５がそれぞれ設けられている。
【００２５】
蓋体１２について更に詳細に説明すると、該蓋体１２は、回動支点であるその一端部１２ａから開口側であるその他端部１２ｂにかけて上方に凸の山形状を呈している。また、蓋体１２の内側上部には、断面視略三角形状の滞留室２０が設けられ、図示しないエア供給源からエア配管２４を経由して蓋体１２の後側壁面１２ｃから前記滞留室２０にエアが送り込まれる。該滞留室２０を設けることにより、エア供給源から送られてきたエアがこの滞留室２０に一旦溜められるため、後述する各ノズル２１から略同じ風量にてエアが吹き出されることになる。該滞留室２０の床面２２からノズル２１が下方に向けて延設されている。該ノズル２１は略鉛直下方に延設されていて、その下端部にエアの吹き出し部２３が設けられている。該ノズル２１は、図２のように画像形成装置９と遮蔽板１０の間に位置する。即ち、ノズル２１は版交換用のスペース１１内に位置しており、その下端部のエアの吹き出し部２３から版胴１に向けてエアを略鉛直下向きに送り出す。該ノズル２１は、略円筒であって、図３及び図４のように版胴１の軸線方向に沿って間隔をおいて複数（合計５本）配置されている。但し、このノズル２１の形状や本数は任意であって、例えば、図５及び図６のように、版胴１の軸線方向に所定長さを有する長方形の角筒であってもよい。
【００２６】
図２乃至図４に戻って、版交換用のスペース１１には、温度を検知するセンサ２５が設けられており、該センサ２５の出力に基づいてエア供給源から供給するエアの温度が調節される。該センサ２５は、前側のフレーム１４の内側に固定されると共に、図２のように版胴１を軸線方向に見たときには、センサ２５の位置はノズル２１の真下である。尚、インキが版面に転移するのに適した温度は例えば２５乃至３０℃である。従って、版面温度ひいては版交換用のスペース１１内の温度がその範囲内になるように、供給するエアの温度を調節する。尚、湿度を検知するセンサ２５を設けて湿度も同時に制御することもでき、その場合には例えば５０乃至６０％の湿度に調節する。
【００２７】
以上のように構成された版面温度調節装置付き印刷機においては、蓋体１２を開閉させることによって、版面温度調節装置Ａを版交換用のスペース１１からエアを送る温度調節状態と版交換が可能なようにスペース１１を開放する開放状態とに変更することができる。即ち、蓋体１２を閉じるとエアの吹き出し部２３が版交換用のスペース１１内の温度調節位置に位置する。そして、図示しないスイッチをＯＮすることにより、版面温度調節装置Ａが作動し、センサ２５が検知する温度に応じてエア供給源から加熱あるいは冷却されたエアが供給される。即ち、温度が低い場合には熱気が送られる一方、温度が低い場合には冷気が送られる。尚、湿度コントロールを行う場合も同様であって加湿若しくは除湿されたエアが送られる。
【００２８】
このような温度調節状態において、版交換用のスペース１１を利用してエアを版胴１に送るため、エアの吹き出し部２３から版胴１までの間にエアを遮る部材がなく、従ってエアは確実に版面に到達し、版面温度を正確に調節することができる。しかも、蓋体１２の内側に設けた滞留室２０に一旦エアをプールした後にノズル２１に送り出すため、複数のノズル２１毎の風量差や温度差を抑制することができる。また、版交換用のスペース１１を利用してエアを送るため、版胴１の周囲にエアの吹き出し部２３を配置するための専用スペースを別途確保する必要がない。特に、インキ装置６が複数配置されるうえに画像形成装置９も配置される構成においてはこのように専用スペースを確保する必要のないことの利点は大きい。図示しない版洗浄装置を設けた場合には更にこの利点は大きい。
【００２９】
逆に、蓋体１２を開けると、ノズル２１は蓋体１２と一体となって回動して図２に二点鎖線にて示す退避位置となる。即ち、版面温度調節装置Ａは開放状態となり、版交換用のスペース１１は開放されて該スペース１１を介して上方から版交換を行うことができる。
【００３０】
尚、本実施形態では、エア供給源からエアをノズル２１に供給してその先端のエアの吹き出し部２３からエアを版胴１に向けて吹き出す構成としたが、電子冷熱装置を使用して冷却、加熱する構成としてもよい。
【００３１】
該電子冷熱装置を使用した構成の一例を図７及び図８を参酌して説明する。図７及び図８に示されている印刷機は、電子冷熱装置３０を使用していることを除き上記実施形態のものと同様である。電子冷熱装置３０は、電子冷熱素子（ペルチェ素子）を備えた装置であって、蓋体１２の頂部付近に一体的に設けられて蓋体１２の一部を構成している。例えば、版交換用のスペース１１を冷却して版面の温度を下げる場合、図示しない冷却側のファン（送風機）によって版交換用のスペース１１内のエアを電子冷熱装置３０内に送り込み（矢印３１）、冷却後のエアをエアの吹き出し部２３から版胴１に向けて送る（矢印３２）。同時に、除湿水はドレンパイプ３３を介して排出され、図示しない放熱側のファンによって蓋体１２の外部への放熱が行われる（矢印３４，３５）。加熱、冷却はコントローラ３６から送られる電流の向きを変えることで行われ、センサ２５からの出力に基づいてコントローラ３６は電子冷熱装置３０への通電を制御する。
【００３２】
このように版面温度調節装置Ａが電子冷熱装置３０を備えた場合には、装置が大がかりになることがなく、特に、蓋体１２に電子冷熱装置３０を設ければ印刷機の小型化に有利である。
【００３３】
尚、電子冷熱装置３０の使用の有無に関わらず、蓋体１２の開閉動作に連動して自動的に版面温度調節装置Ａが作動、停止するように構成してもよい。
【００３４】
以上の説明では、蓋体１２の開閉動作によってエアの吹き出し部２３が温度調節位置と退避位置との間を位置変更する場合について説明したが、エアの吹き出し部２３を位置変更させる構成についてはこれに限らず種々の構成が採用可能である。
【００３５】
例えば、図９及び図１０のように、蓋体１２にエアの吹き出し部２３が挿通可能な挿通孔４０を形成し、該挿通孔４０を介してエアの吹き出し部２３を版交換用のスペース１１内に出し入れ可能に構成してもよい。
【００３６】
該印刷機の胴配列などは図１のものと同様である。先端にエアの吹き出し部２３を有するノズル２１は、エアが通るノズル本体４１と該ノズル本体４１の外側を覆うノズルカバー４２とを備えて、全体としては縦長直方体状に形成されている。従って、蓋体１２の挿通孔４０は該ノズル２１が挿通できる大きさであり、且つ、ノズル２１が挿入された温度調節状態においては挿通孔４０はノズル２１によって略閉塞される。尚、温度を検知するセンサ２５はノズルカバー４２内であってエアの吹き出し部２３に隣接して設けられている。換言すれば、ノズル２１の先端にセンサ２５が設けられており、センサ２５はノズル２１と共に移動するように構成されている。
【００３７】
該ノズル２１の上端部には、角筒状のアーム部材４３が固定されており、ノズル２１はアーム部材４３から略鉛直下方に垂れ下がった状態にある。ノズル２１は各版胴１毎に設けられており、両アーム部材４３の基端部は可動梁４４に回動可能に支持されている。各アーム部材４３はロータリアクチュエータ４５によって略９０度の角度範囲でもって回動するように構成され、両アーム部材４３、ひいては両ノズル２１は観音開き状に回動し、図９に二点鎖線にて示されている退避位置においてはアーム部材４３の先端部同士が互いに向かい合った状態となる。即ち、ノズル２１同士は接近した状態となる。尚、エアは、印刷機後方から送られてアーム部材４３を通ってノズル２１に供給される。
【００３８】
また、可動梁４４は、左右一対の支柱４６に上下移動可能に支持され、可動梁４４の略中央部分に取り付けられたエアシリンダ４７によって上下に駆動される。尚、可動梁４４の上下の移動は各々リミッタ４８，４９により制限されて毎回同じ位置に停止するように構成されている。また、可動梁４４が上方の停止位置（中継位置）に移動すると、固定手段としてのエアシリンダ５０がそのロッド５１を出状態とし、可動梁４４の上面に固定されたブラケット５２をロッド５１が貫通することにより可動梁４４はその位置に固定される。
【００３９】
以上のように構成された版面温度調節装置Ａにおいては、エアの吹き出し部２３が蓋体１２の外に出るまでは上下に直線的に移動する。そして、蓋体１２の外にエアの吹き出し部２３が位置している状況においては、上下方向の軸線を中心として観音開き状に略９０度の水平回動を行う。即ち、エアの吹き出し部２３は、図９に二点鎖線で示す温度調節位置から、エアの吹き出し部２３が蓋体１２の外に出た中継位置、即ち、上リミッタ４９により可動梁４４の上方移動が制限されるまでは、版胴１に対して接近、離反するように上下に直線的に移動し（第一の動作）、蓋体１２の直上の中継位置から退避位置までは水平に略９０度回動する（第二の動作）。このように、両ノズル２１が観音開き状に回動するため、版面温度調節装置Ａを使用する場合には後方に閉じた状態から前方手前にノズル２１を電動にて引き出し、使用しない場合には後方に格納しておくことができる。従って、後方にノズル２１を格納すれば、蓋体１２の上方が開放されるのでノズル２１が版交換の邪魔にならず、蓋体１２を開いてスムーズに版交換を行うことができる。但し、手動で回動させてもよい。
【００４０】
そして、版面温度調節装置Ａを温度調節状態とするには、ノズル２１を中継位置から略鉛直下方に平行移動させて版交換用のスペース１１内に進入させ、エアの吹き出し部２３を版胴１に近設した温度調節位置に位置させる。該温度調節位置は図９では二点鎖線で示され、図１０では実線で示されている。
このように、エアの吹き出し部２３を版胴１に直線的に接近、離反させる構成としているので、版交換用のスペース１１が狭くても版胴１に容易に接近させることができる。即ち、温度調節位置を版胴１により接近させることができるため、版面温度の調節をより一層正確に且つ容易に行うことができる。
【００４１】
尚、温度調節位置から退避位置までの全移動区間のうち、少なくともエアの吹き出し部２３が蓋体１２の外に出るまでの区間において直線的に接近、離反すればよい。
【００４２】
また、胴配列なども適宜設計変更可能であるが、特に、水なし印刷、紫外線硬化型インキを使用する印刷に好適である。
【００４３】
【発明の効果】
以上のように、本発明における版面温度調節装置付き印刷機にあっては、版交換用のスペースを利用して版面の温度調節を行うので、版胴の周囲のスペースを有効活用が可能となり、印刷機を小型化にも適し、しかも、正確な温度調節が可能となる。
【図面の簡単な説明】
【図１】本発明の一実施形態における版面温度調節装置付き印刷機を示す正面図。
【図２】同印刷機の版胴周辺を示す正面図。
【図３】同印刷機の要部側面図。
【図４】同印刷機の要部平面図。
【図５】他の実施形態における版面温度調節装置付き印刷機を示す要部側面図。
【図６】同印刷機の要部平面図。
【図７】他の実施形態における版面温度調節装置付き印刷機を示す要部正面図。
【図８】同印刷機の要部側面図。
【図９】他の実施形態における版面温度調節装置付き印刷機を示す要部正面図。
【図１０】同印刷機の要部側面図。
【符号の説明】
Ａ…版面温度調節装置、１…版胴、２…ブランケット胴、３…圧胴、４…給紙部、５…排紙部、６…インキ装置、６ａ…インキ着けローラ、７…供給リール、８…巻き取りリール、９…画像形成装置、１０…遮蔽板、１１…版交換用のスペース、１２…蓋体、１３…ガスダンパー、１４…フレーム、１５…カバー、２０…滞留室、２１…ノズル、２２…床面、２３…エアの吹き出し部、２４…エア配管、２５…センサ、３０…電子冷熱装置、３３…ドレンパイプ、３６…コントローラ、４０…挿通孔、４１…ノズル本体、４２…ノズルカバー、４３…アーム部材、４４…可動梁、４５…ロータリーアクチュエータ、４６…支柱、４７…エアシリンダ、４８，４９…リミッタ、５０…エアシリンダ、５１…ロッド、５２…ブラケット
【図１】
2004216727.tif 000003
【図２】
2004216727.tif 000004
【図３】
2004216727.tif 000005
【図４】
2004216727.tif 000006
【図５】
2004216727.tif 000007
【図６】
2004216727.tif 000008
【図７】
2004216727.tif 000009
【図８】
2004216727.tif 000010
【図９】
2004216727.tif 000011
【図１０】
2004216727.tif 000012